(57)【要約】【課題】カートリッジの水平方向装填のための規制部材を有する装填部に装填されたカートリッジをジャム処理等のときに容易に取り出すことができる画像記録装置を提供する。【解決手段】この画像記録装置は、記録紙を搬送し露光することで画像記録を行い、記録紙を収容したカートリッジ１３を装填する装填部１２と、カートリッジを装填部に対し水平方向に装填させるために設けられた規制部材３１と、を備え、カートリッジが装填部に装填されているときに規制部材を取り外しできるように構成した。【選択図】  図３
2004306311.tif 000002
【特許請求の範囲】
【請求項１】
シート状の記録材料を搬送し露光することで画像記録を行う画像記録装置であって、
前記シート状の記録材料を収容したカートリッジを装填する装填部と、前記カートリッジを前記装填部に対し水平方向に装填させるために設けられた規制部材と、を備え、前記カートリッジが前記装填部に装填されているときに前記規制部材を取り外しできるように構成したことを特徴とする画像記録装置。
【請求項２】
前記規制部材は前記規制部材が取り付けられる側壁に固定しかつその固定を解除可能な固定機構を備えることを特徴とする請求項１に記載の画像記録装置。
【請求項３】
シート状の記録材料を搬送し露光することで画像記録を行う画像記録装置であって、
前記シート状の記録材料を収容したカートリッジを装填する装填部と、前記カートリッジを前記装填部に対し水平方向に装填させるために設けられた規制部材と、を備え、前記規制部材が前記カートリッジを上方に取り出しできる取出可能位置に移動可能に構成されたことを特徴とする画像記録装置。
【請求項４】
前記規制部材は、前記規制部材が取り付けられる側壁に設けられた傾斜面に対しスライドし前記取出可能位置に退避するように構成されたことを特徴とする請求項３に記載の画像記録装置。
【請求項５】
前記規制部材は、前記カートリッジを前記装填部に対し水平方向に装填させるように前記規制部材が取り付けられる側壁から突き出すとともに、前記カートリッジを上方に取り出すときに前記取出可能位置に退避するように構成されたことを特徴とする請求項３に記載の画像記録装置。
【請求項６】
前記装填部に装填されたカートリッジから前記シート状の記録材料を搬送し回転ドラムに巻き付けてから露光することで画像記録を行うことを特徴とする請求項１乃至５のいずれか１項に記載の画像記録装置。
【発明の詳細な説明】
【０００１】
【発明の属する技術分野】
本発明は、記録材料を収容したカートリッジを装填する画像記録装置に関するものである。
【０００２】
【従来の技術】
従来、記録紙をロール状に巻回して収容したカートリッジを装填し、カートリッジから記録紙を搬送して画像記録を行う画像記録装置が公知である。このような画像記録装置のカートリッジ装填部を図９の正面図に示す。画像記録装置のカートリッジ装填部１００には図のようにカートリッジＣが装填されるが、このとき、カートリッジＣを水平方向（図の紙面垂直方向）に装填させるための規制部材１０１がカートリッジ装填部１００に設けられている。この規制部材ＣによりカートリッジＣを上方向から装填することを規制し、水平方向に装填することで記録紙の先端を装填部１０１のスリット１０２に記録紙の折れ等がない状態で装填できる。
【０００３】
このようなカートリッジ装填部１００において、カートリッジＣから先端が引き出された記録紙Ｓを装填部１０１のスリット１０２を通して搬送ローラ対１０３等の搬送機構にて回転ドラム上へ搬送中に、ジャムなどのトラブルが発生した場合、ジャムを解除するためにカートリッジＣを装置から取り出す必要がある。その際、カートリッジ装填部１００には規制部材１０１があるためカートリッジＣを手前（図の紙面垂直方向上側）に引き出すことになるが、手前に引き出そうとするとカートリッジＣから引き出されている記録材料Ｓが妨げになり、カートリッジＣを手前に引き出すことが困難であったり、ムリに引き出すと記録紙Ｓが破れてしまうという問題があった。
【０００４】
【発明が解決しようとする課題】
本発明は、上記従来技術の問題に鑑み、カートリッジの水平方向装填のための規制部材を有する装填部に装填されたカートリッジをジャム処理等のときに容易に取り出すことができる画像記録装置を提供することを目的とする。
【０００５】
【課題を解決するための手段】
上記目的を達成するために、本発明による画像記録装置は、シート状の記録材料を搬送し露光することで画像記録を行う画像記録装置であって、前記シート状の記録材料を収容したカートリッジを装填する装填部と、前記カートリッジを前記装填部に対し水平方向に装填させるために設けられた規制部材と、を備え、前記カートリッジが前記装填部に装填されているときに前記規制部材を取り外しできるように構成したことを特徴とする。
【０００６】
この画像記録装置によれば、カートリッジを水平方向に装填させるための規制部材を取り外すことができるので、カートリッジをジャム処理等のときに上方に容易に取り出すことができる。
【０００７】
上記画像記録装置において前記規制部材は前記規制部材が取り付けられる側壁に固定しかつその固定を解除可能な固定機構を備えることが好ましい。
【０００８】
本発明による別の画像記録装置は、前記シート状の記録材料を収容したカートリッジを装填する装填部と、前記カートリッジを前記装填部に対し水平方向に装填させるために設けられた規制部材と、を備え、前記規制部材が前記カートリッジを上方に取り出しできる取出可能位置に移動可能に構成されたことを特徴とする。
【０００９】
この画像記録装置によれば、カートリッジを水平方向に装填させるための規制部材を取出可能位置に移動させることができるので、カートリッジをジャム処理等のときに上方に容易に取り出すことができる。
【００１０】
上記画像記録装置において、前記規制部材は、前記規制部材が取り付けられる側壁に設けられた傾斜面に対しスライドし前記取出可能位置に退避するように構成できる。
【００１１】
また、前記規制部材は、前記カートリッジを前記装填部に対し水平方向に装填させるように前記規制部材が取り付けられる側壁から突き出すとともに、前記カートリッジを上方に取り出すときに前記取出可能位置に退避するように構成できる。
【００１２】
上記各画像記録装置は、前記装填部に装填されたカートリッジから前記シート状の記録材料を搬送し回転ドラムに巻き付けてから露光することで画像記録を行うように構成できる。
【００１３】
【発明の実施の形態】
以下、本発明による実施の形態について図面を用いて説明する。図１は本実施の形態による画像記録装置全体の外観を示す斜視図である。図２は図１の画像記録装置の内部を正面側から見た図である。
【００１４】
図１に示すように、画像記録装置１は、記録材料に露光し画像を形成する露光ユニット１１と、露光された記録材料を現像する現像ユニット２１と、を備える。露光ユニット１１は、前面からメンテナンスできるように開閉可能な前面パネル５と、装置全体の操作のための操作部２と、内部にロール状の記録材料である記録紙を収容したカートリッジ１３を給紙カバー３，４の開放後に装填可能な装填部１２，１２’と、を備える。図１では装填部１２，１２’にカートリッジ１３を装填する前、装填した後の状態を示している。
【００１５】
現像ユニット２１は、メンテナンスのために開閉可能な上面パネル６と、前面には、現像処理液等の補充等のために開閉可能に設けられた補給パネル７と、を備える。
【００１６】
図２に示すように、露光ユニット１１は、装填部１２，１２’に装填されたカートリッジ１３から記録紙を給送するために搬送ローラ対４０，４１，４２とガイド４３，４４とを有する給送部１４と、給送部１４から給送された記録紙を外周面に真空吸引し保持しながら主走査のために回転方向Ｒに回転するドラム１８と、ドラム１８上の記録紙に対しレーザ光を露光する光学ユニット１６と、光学ユニット１６を副走査のために副走査方向（図２の紙面垂直方向）に搬送する副走査部１７と、画像記録後のドラム上の記録紙を剥離する剥離部材１５と、を備える。
【００１７】
図２に示すように、現像ユニット２１は、露光後の記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、現像ユニット２１の側面２１ａの排出部２７から排出された記録紙を集積する集積部２８と、を備える。
【００１８】
図２のように、画像記録装置１は、装填部１２，１２’のカートリッジ１３から記録材料の記録紙をガイド４３，４４でガイドしながら搬送ローラ対４０，４１，４２等により給送部１４を通してドラム１８に給送し、記録紙をカッタ１５ａで切断し、記録紙をドラム１８の外周面に真空吸引し保持し、光学ユニット１６からＬＥＤ光やレーザ光等の光ビームをドラム１８上の記録紙に対し露光し、この露光時にドラム１８を回転方向Ｒに回転し主走査し、光学ユニット１６を副走査部１７で副走査することで、記録紙に画像記録を行う。画像記録後、剥離部材１５が破線の位置から実線の位置へとドラム１８に接近し記録紙をドラム１８から剥離してから記録紙を出口１９に導く。次に、露光後の記録紙は現像ユニット２１内で現像処理が行われ、乾燥され、集積部２８に排出される。
【００１９】
次に、図１，図２のカートリッジの装填部及び規制部材について説明する。図３は図１の装填部を図１の方向ＩＩＩから見た図である。図４は図３の装填部に設けた規制部材を示す正面図（ａ）、方向Ｂから見た上面図（ｂ）、及び方向Ｃから見た側面図（ｃ）である。なお、図４（ａ）乃至（ｃ）では部分的に内部を透視して要部を示している。
【００２０】
図１に示すように、装填部１２，１２’は比較的細長いカートリッジ１３を装填できるように装置前面から奥側に延びている。装填部１２は、図３のように、両側の側壁５１，５２により画定され、側壁５１と５２との間にカートリッジ１３が位置するようになっている。カートリッジ１３の装填時にカートリッジ１３を水平方向（図３の紙面垂直方向）に装填するように規制するための規制部材３１が装填部１２の側壁５１に設けられている。
【００２１】
図３，図４（ａ）〜（ｃ）に示すように、規制部材３１は、装填部１２の縦方向に比較的短く装填部１２の奥行方向に比較的長いブロック状に構成されている。規制部材３１は引っ掛け金具３３，３３により装填部１２の側壁５１に形成された、径の異なるいわゆるだるま形状の穴５３，５３に取り付けられている。
【００２２】
規制部材３１は、図４（ｂ）、（ｃ）のように水平方向Ｈ、その反対方向Ｈ’にスライド可能であり、水平方向Ｈにスライドさせることで側壁５１に取り付けられ、手前の水平方向Ｈ’にスライドさせてから側壁５１から引き離すことにより側壁５１の穴５３に対する引っかかりを解除し、側壁５１から取り外すことができるように構成されている。
【００２３】
また、規制部材３１は、スプリング３４とレバー部材３６とから構成される固定機構を内蔵し、スプリング３４により押圧されることでレバー部材３６の突起３５が側壁側ヘ突き出すようになっている。突起３５が側壁５１の穴５４に入り込むことにより規制部材３１の水平方向（奥行方向）の固定が行われる。レバー部材３６の突起３５とは異なる一端３７が規制部材３１の外ヘ突き出ており、作業者が上方から指でその一端３７を図４（ｂ）の破線位置まで操作することにより、突起３５をスプリング３４の押圧力に抗して図４（ｂ）の破線のように規制部材３１の内側ヘ戻すことができ、この一端３７での操作により規制部材３１を側壁５１から取り外すことができる。また、一端３７を操作し規制部材３１を取り外す操作は上方からできるので、カートリッジ１３が装填部１２に装填されていても可能である。
【００２４】
従来、カートリッジを水平方向に引き抜いた場合のように、カートリッジの取り出し作業が困難となったり、取り出し時に記録紙をやぶいて記録紙の破片が装置内に入ることが起き易かったのに対し、本実施の形態によれば、規制部材３１をカートリッジ１３が装填部１２に装填されているときでも取り外し可能な構造とすることにより、記録紙Ｓにジャム等が発生したときのメンテナンス時に規制部材３１を装填部１２の側壁５１から取り外してからカートリッジ１３を記録紙Ｓが破れることなく上方へ取り出すことができる。
【００２５】
以上のようにしてカートリッジ９を上方へ取り出せれば、その後、記録紙を搬送ローラ対４０，４１，４２等の搬送機構から引き戻す、または、カートリッジと搬送機構との間で切り離すなどのジャム解除が簡単となり、容易にジャム解除作業を行うことができる。
【００２６】
次に、上記規制部材の変形例について図５，図６により説明する。図５は図３，図４の規制部材の変形例を示す要部斜視図である。図６は側壁に取り付けられた図５の規制部材を示す要部正面図である。
【００２７】
図５，図６に示すように、装填部１２の側壁５１は上部側に傾斜面５１ａを設け、傾斜面５１ａに規制部材６１をスライド可能に取り付けている。規制部材６１は、上部に設けられたつまみ用突起６２と、傾斜面５１ａに設けられたスライド溝５５，５６内に入り込んでスライドするスライド部６３と、を備える。
【００２８】
スライド溝５５，５６は、下端側及び上端側に水平方向Ｈに比較的短く延びてスライド部６３を係止する係止溝５５ａ、５６ａ、５５ｃ、５６ｃと、傾斜面５１ａに沿って水平方向Ｈとほぼ直交する方向に延びる直線溝５５ｂ、５６ｂと、を備える。
【００２９】
図５，図６のように、規制部材６１は、図６の実線で示す規制位置でスライド部６３が係止溝５５ａ、５６ａにはまり込んで係止されて取り付けられており、カートリッジ１３の装填時にカートリッジ１３を水平方向Ｈに装填するように規制する。
【００３０】
カートリッジ１３を上方向に取り出すときは、規制部材６１を図５の水平方向の矢印方向ｂ１にスライドさせてから上方向の矢印方向ｂ２に直線溝５５ｂ、５６ｂをスライドさせ、次に、水平方向の矢印方向ｂ３に係止溝５５ｃ、５６ｃへとスライドさせることで、図６の破線で示す取出可能位置に退避させることができる。また、上述の順序と逆の順序で規制部材６１を図６の破線の取出可能位置から実線の規制位置に戻し係止させることができる。
【００３１】
図５，図６の規制部材６１によれば、記録紙にジャム等が発生したときのメンテナンス時に、規制部材６１を装填部１２の側壁５１の上方に移動させて取出可能位置に退避させてからカートリッジ１３を記録紙Ｓが破れることなく上方へ取り出すことができる。
【００３２】
次に、上記規制部材の別の変形例について図７，図８により説明する。図７は図３，図４の規制部材の別の変形例を示す要部斜視図である。図８は側壁に取り付けられた図７の規制部材を示す要部正面図である。
【００３３】
図７，図８に示すように、装填部１２の側壁５１の上端面５１ｂに規制部材７１を装填部１２側に突き出るように取り付けている。規制部材７１は、側壁５１の上端面５１ｂに取り付けられる平板状の取付部７２と、取付部７２に蝶番構造により回動可能に連結された平板状の規制部７１と、を備える。
【００３４】
取付部７２に連結された規制部７１は、蝶番構造のねじりコイルばね（図示省略）により図の実線で示す規制位置に下がっており、取付部７２からほぼ直線的に装填部１２の上方に突き出ることで、カートリッジ１３の装填時にカートリッジ１３を水平方向Ｈに装填するように規制する。
【００３５】
カートリッジ１３を上方向に持ち上げると、カートリッジの上面部分１３ａが規制部７１に当接し、蝶番構造のねじりコイルばね（図示省略）の作用により規制部７１が上側に跳ね上がり回動方向Ｒに回動することで図８の破線で示す取出可能位置に移動し退避する。また、規制部材７１を回動方向Ｒの反対方向に回動させることで図８の破線の取出可能位置から実線の規制位置に戻すことができる。
【００３６】
図７，図８の規制部材７１によれば、記録紙にジャム等が発生したときのメンテナンス時に規制部材７１の規制部７１を側壁５１の上方に回動させて退避させてからカートリッジ１３を記録紙Ｓが破れることなく上方へ取り出すことができる。
【００３７】
上述のように、図５乃至図８の規制部材６１，７１は、図３，図４の場合と異なり、装填部１２から取り外すことなく、取出可能位置に退避させてから、カートリッジ１３を上方に取り出すことができる。
【００３８】
以上のように本発明を実施の形態により説明したが、本発明はこれらに限定されるものではなく、本発明の技術的思想の範囲内で各種の変形が可能である。例えば、規制部材を側壁に設けたレール上を移動させて取り外すように構成してもよい。また、本発明は、図２のような画像記録装置に限定されず、記録紙を収容したカートリッジを水平方向に装填するようにした他の画像記録装置にも適用できることは勿論である。
【００３９】
【発明の効果】
本発明の画像記録装置によれば、カートリッジの水平方向装填のための規制部材を有する装填部に装填されたカートリッジをジャム処理等のときに容易に取り出すことができる。
【図面の簡単な説明】
【図１】本実施の形態による画像記録装置全体の外観を示す斜視図である。
【図２】図１の画像記録装置の内部を正面側から見た図である。
【図３】図１の装填部を図１の方向ＩＩＩから見た図である。
【図４】図３の装填部に設けた規制部材を示す正面図（ａ）、方向Ｂから見た上面図（ｂ）、及び方向Ｃから見た側面図（ｃ）である。
【図５】図３，図４の規制部材の変形例を示す要部斜視図である。
【図６】側壁に取り付けられた図５の規制部材を示す要部正面図である。
【図７】図３，図４の規制部材の別の変形例を示す要部斜視図である。
【図８】図８は側壁に取り付けられた図７の規制部材を示す要部正面図である。
【図９】従来の画像記録装置のカートリッジ装填部を示す正面図である。
【符号の説明】
１２，１２’・・・装填部
１８・・・ドラム
３１・・・規制部材
３４・・・スプリング（固定機構）
３６・・・レバー部材（固定機構）
５１・・・側壁
５１ａ・・・傾斜面
６１，７１・・・規制部材
【図１】
2004306311.tif 000003
【図２】
2004306311.tif 000004
【図３】
2004306311.tif 000005
【図４】
2004306311.tif 000006
【図５】
2004306311.tif 000007
【図６】
2004306311.tif 000008
【図７】
2004306311.tif 000009
【図８】
2004306311.tif 000010
【図９】
2004306311.tif 000011